(57)【要約】    【課題】本体は大きくすることなく、使い勝手の向上したアップライト型電気掃除機を提供すること。    【解決手段】伸長用パイプ１８は、収縮した状態で取付け部１０内に挿入されている。変位体３５の係合突起４１は、係合孔３３を挿通して凹部３４に入り込んでいる。基部１７には、取外しボタン２０が設けられており、取外しボタン２０のボタン部４２は、基部１７のボタン孔４４から外方に突出している。また、ボタン部４２には、押圧突起４５が設けられている。そして、取外しボタン２０のボタン部４２を押圧すると、基部１７が取付け部１０から取外されると共に、押圧突起４５が変位体３５を押圧して変位させ、係合突起４１が凹部３４から抜け出る。よって、基部１７を取付け部１０から取外すと伸長用パイプ１８が伸長し得るので、使い勝手がよい。【選択図】            図６
2006204631.tif 000002
【特許請求の範囲】
【請求項１】
吸引手段および吸引手段によって吸込まれる空気中の塵埃を貯めるための集塵空間を有する本体と、
上記本体の下部に連結され、床面の塵埃を空気と共に吸込むための吸引ヘッドと、
上記吸引ヘッドにより吸込まれた空気および塵埃を上記本体の上部へ導くための本体流路と、
上記本体の上部に、上記本体から取外し可能に設けられ、入口および出口を備えた吸込流路を有する操作部と、
上記操作部の吸込流路出口と上記本体の集塵空間とを接続するための吸込ホースと、を含み、
上記操作部は、上記本体に取付けられた状態において、吸込流路入口が上記本体流路と連通状態になり、上記本体から取外した状態では、吸込流路入口が塵埃の吸込口として利用できるアップライト型電気掃除機において、
上記操作部を上記本体から取外した状態において、吸込流路入口を上記操作部から伸長可能な伸長用パイプが備えられていることを特徴とするアップライト型電気掃除機。
【請求項２】
上記操作部を上記本体から取外すときに操作する取外しボタンが備えられ、
上記取外しボタンを操作することにより、上記伸長用パイプを伸長させ得ることを特徴とする請求項１に記載のアップライト型電気掃除機。
【請求項３】
上記操作部には、ハンドルが備えられ、ハンドルを把持した状態で操作可能な上記伸長用パイプを伸長させ得るボタンが設けられていることを特徴とする請求項１に記載のアップライト型電気掃除機。
【請求項４】
上記ボタンは、上記操作部を上記本体から取外すための取外しボタンを兼ねていることを特徴とする請求項３に記載のアップライト型電気掃除機。
【請求項５】
上記伸長用パイプを伸長させた状態で固定するためのストッパを有することを特徴とする請求項１〜４のいずれかに記載のアップライト型電気掃除機。
【請求項６】
上記伸長用パイプの先端は、その外周が軟質体で覆われていることを特徴とする請求項１〜５のいずれかに記載のアップライト型電気掃除機。
【請求項７】
上記本体には、上記操作部を上記本体に取付ける際に、上記伸長用パイプを上記操作部内に収縮させるための伸長状態解除手段が設けられていることを特徴とする請求項１〜６のいずれかに記載のアップライト型電気掃除機。
【請求項８】
上記本体から取外した状態の上記操作部を、上記本体の側方に係止できる係止手段を有することを特徴とする請求項１〜７のいずれかに記載のアップライト型電気掃除機。
【請求項９】
上記操作部が上記本体に取付けられた状態において、
上記本体の上部および／または上記操作部を変位させるための折畳み構造を有することを特徴とする請求項１〜８のいずれかに記載のアップライト型電気掃除機。
【発明の詳細な説明】
【技術分野】
【０００１】
この発明は、アップライト型電気掃除機に関する。
【背景技術】
【０００２】
アップライト型電気掃除機には、一般的に、長尺形状の本体と、本体の下部に設けられ、床面上の塵埃を吸い込むため吸引ヘッドと、本体の上部に設けられた操作部とが備えられている。
アップライト型電気掃除機は、操作部を把持して、本体を鉛直方向に対して後方に所定角度だけ傾けた姿勢で、吸引ヘッドを床面上を沿うように移動させることで、吸引ヘッドから床面の塵埃を吸い込むことができる。そして、アップライト型電気掃除機は、使用しないときには、吸引ヘッドに対して本体を鉛直方向に起立させた姿勢で保持しておくことができる。このようなアップライト型電気掃除機の一例が特許文献１に記載されている。
【特許文献１】特開２００４−２５４９４０号公報
【発明の開示】
【発明が解決しようとする課題】
【０００３】
上記特許文献１に記載されているアップライト型電気掃除機は、操作部の一端にアタッチメントとしてのパイプが設けられており、通常の状態では、そのパイプは本体内に挿入されており、操作部が本体の上部に取付けられている。そして、操作部を本体から取外した状態においては、パイプが本体から外れ、パイプの先端からゴミを吸い込むことができる。これにより、机上や窓枠のゴミ等、吸引ヘッドを用いることのできない場所のゴミを、パイプを用いることで良好に吸い込むことができる。また、アタッチメントを操作部に取付けるといった作業を省くことができるので、使い勝手がよい。
【０００４】
ところで、天井やベッドの下等、電気掃除機の本体から遠い場所をパイプを用いて掃除する場合には、パイプの長さは長くなければならない。しかしながら、パイプは本体内に挿入されるため、その長さは本体の大きさにより制限を受け、長くできないという課題があった。
この発明は、かかる背景のもとのなされたもので、本体を大きくすることなく、使い勝手の向上したアップライト型電気掃除機を提供することを目的とする。
【０００５】
また、この発明は、部屋の角や家具と部屋との隙間などの掃除がしやすいように改良されたアップライト型電気掃除機を提供することを他の目的とする。
【課題を解決するための手段】
【０００６】
上記目的を達成するための請求項１に記載の発明は、吸引手段（７）および吸引手段によって吸込まれる空気中の塵埃を貯めるための集塵空間（１１）を有する本体（４）と、上記本体の下部に連結され、床面の塵埃を空気と共に吸込むための吸引ヘッド（３）と、上記吸引ヘッドにより吸込まれた空気および塵埃を上記本体の上部へ導くための本体流路（１４）と、上記本体の上部に、上記本体から取外し可能に設けられ、入口（２６）および出口を備えた吸込流路（２７）を有する操作部（５）と、上記操作部の吸込流路出口と上記本体の集塵空間とを接続するための吸込ホース（２２）と、を含み、上記操作部は、上記本体に取付けられた状態において、吸込流路入口が上記本体流路と連通状態になり、上記本体から取外した状態では、吸込流路入口が塵埃の吸込口として利用できるアップライト型電気掃除機（１）において、上記操作部を上記本体から取外した状態において、吸込流路入口を上記操作部から伸長可能な伸長用パイプ（１８）が備えられていることを特徴とするアップライト型電気掃除機である。
【０００７】
なお、括弧内の英数字は、後述の実施形態における対応構成要素などを表す。以下、この項において同じ。
この構成によれば、吸込流路入口は、操作部を本体から取外すと伸長用パイプにより伸長し得るので、吸込流路入口を延ばして、家具と部屋との隙間に在るゴミ等を吸い込むことができる。よって、使い勝手がよい。また、伸長用パイプは、操作部を本体に取付けた状態では収縮しているので、本体が大きくなるのを防ぐことができる。
【０００８】
請求項２に記載の発明は、上記操作部（５）を上記本体（４）から取外すときに操作する取外しボタン（２０）が備えられ、上記取外しボタンを操作することにより、上記伸長用パイプ（１８）を伸長させ得ることを特徴とする請求項１に記載のアップライト型電気掃除機（１）である。
この構成によれば、取外しボタンを操作することにより伸長用パイプが伸長し得るので、操作部を本体から取外すと同時に伸長用パイプを伸長させることができる。よって、一層使い勝手がよい。
【０００９】
請求項３に記載の発明は、上記操作部（５）には、ハンドル（１９）が備えられ、ハンドルを把持した状態で操作可能な上記伸長用パイプ（１８）を伸長させ得るボタン（６１）が設けられていることを特徴とする請求項１に記載のアップライト型電気掃除機（１）である。
この構成によれば、ボタンは、ハンドルを把持した状態で操作可能であるので、ユーザは、ハンドルを把持しながらボタンを操作して伸長用パイプを伸長させることができる。よって使い勝手がよい。
【００１０】
請求項４に記載の発明は、上記ボタン（６１）は、上記操作部（５）を上記本体（４）から取外すための取外しボタンを兼ねていることを特徴とする請求項３に記載のアップライト型電気掃除機（１）である。
この構成によれば、ボタンは、取外しボタンを兼ねているので、ユーザは、ボタンを操作することで、操作部を本体から取外しつつ、伸長用パイプを伸長させることができる。すなわち、操作部を本体から取外す動作と伸長用パイプを伸長させる動作を同時に行うことができるので、一層使い勝手がよい。
【００１１】
請求項５に記載の発明は、上記伸長用パイプ（１８）を伸長させた状態で固定するためのストッパ（８９）を有することを特徴とする請求項１〜４のいずれかに記載のアップライト型電気掃除機（１）である。
この構成によれば、伸長用パイプは、ストッパにより伸長させた状態で確実に固定される。また、伸長用パイプが、収縮された際には固定されないものであれば、ユーザの伸長用パイプを伸長させる動作を簡易なものにすることができる。すなわち、本体から操作部を取外すと、伸長用パイプは、ストッパにより固定されるまで伸長し得るため、ユーザは、伸長用パイプを伸長させるためのボタン等を操作する必要がない。よって、ユーザの動作を簡易なものとすることができる。
【００１２】
請求項６に記載の発明は、上記伸長用パイプ（１８）の先端は、その外周が軟質体（５６）で覆われていることを特徴とする請求項１〜５のいずれかに記載のアップライト型電気掃除機（１）である。
この構成によれば、伸長用パイプの先端は軟質体に覆われているため、収縮した伸長用パイプを良好に伸長させることができる。たとえば、操作部が本体に取付けられた状態において、伸長用パイプの先端が本体内に設けられた軟質体に覆われるものであれば、操作部を本体から取外す動作を行うと、伸長用パイプの先端は摩擦力により保持されるため、伸長用パイプに引張力を付与して伸長させることができる。
【００１３】
請求項７に記載の発明は、上記本体（４）には、上記操作部（５）を上記本体に取付ける際に、上記伸長用パイプ（１８）を上記操作部内に収縮させるための伸長状態解除手段（７９）が設けられていることを特徴とする請求項１〜６のいずれかに記載のアップライト型電気掃除機（１）である。
この構成によれば、操作部を本体に取付ける際に、伸長解除手段により、伸長用パイプを収縮させて操作部内に良好に収容することができる。
【００１４】
請求項８に記載の発明は、上記本体（４）から取外した状態の上記操作部（５）を、上記本体の側方に係止できる係止手段（２９）を有することを特徴とする請求項１〜７のいずれかに記載のアップライト型電気掃除機（１）である。
この構成によれば、操作部を係止手段により係止することができるので、掃除を行わない場合には、操作部を本体の側方に係止しておくことで、アップライト型電気掃除機をコンパクトにすることができる。よって、アップライト型電気掃除機の収容スペースを小さくすることができる。
【００１５】
請求項９に記載の発明は、上記操作部（５）が上記本体（４）に取付けられた状態において、上記本体の上部および／または上記操作部を変位させるための折畳み構造を有することを特徴とする請求項１〜８のいずれかに記載のアップライト型電気掃除機（１）である。
この構成によれば、アップライト型電気掃除機は、折畳み構造を有しているので、アップライト型電気掃除機を折畳んで収容することで、その収容スペースを小さくすることができる。
【発明を実施するための最良の形態】
【００１６】
以下では、この発明の実施の形態を、添付図面を参照して詳細に説明する。
図１は、この発明の一実施形態にかかる電気掃除機１の構成を示す正面図であり、図２は、電気掃除機１の右側面図である。また、図３は、電気掃除機１を前後方向に沿った鉛直面で切断した断面を左側からみた図である。
電気掃除機１は、床面に沿って移動される吸引ヘッド３と、この吸引ヘッド３に対して一端部（下端部）が回動可能に取付けられた長尺形状の本体４とを備え、本体４の他端部（上端部）に取付けられた操作部５のハンドル１９を把持して、本体４を鉛直方向に対して後方に所定角度（たとえば、６０°〜８０°）だけ傾けた姿勢で使用することができる、アップライト型の掃除機である。吸引ヘッド３の下部および本体４の下部には、それぞれ左右１対の車輪２Ａ，２Ｂが回転可能に取付けられており、これらの車輪２Ａ，２Ｂを床面に沿って転がすことにより、電気掃除機１をスムーズに移動させることができる。この電気掃除機１は、使用しないときには、吸引ヘッド３に対して本体４を鉛直方向に起立させた姿勢（図１〜図３に示す姿勢）で保持しておくことができる。
【００１７】
吸引ヘッド３の底面前側には、吸込口６が形成されている。本体４には、吸引ヘッド３の後側に、モータと、このモータによって回転駆動されるファンとを含む電動送風機７が配置されている。この電気掃除機１を用いて掃除を行う際には、電動送風機７を駆動することにより、吸込口６の外側の空気とともに、吸込口６に対向する床面上のゴミが吸込口６から吸引ヘッド３内に吸い込まれる。
【００１８】
吸引ヘッド３の内部前側には、左右方向に延びる回転軸９Ａを中心に回転可能なロータリブラシ９が配置されており、このロータリブラシ９の周面が吸込口６に臨んでいる。電動送風機７のモータの回転力は、ロータリブラシ９の回転軸９Ａに伝達されるようになっている。したがって、電動送風機７が駆動されると、回転ブラシ９が回転されて、床面の塵埃等のゴミが回転ブラシ９により掻き上げられ、そのゴミが吸込口６から吸引ヘッド３内へ吸い込まれる。
【００１９】
本体４には、操作部５が取付けられている取付け部１０と、吸引ヘッド３から吸い込まれた空気に含まれる塵埃等のゴミを捕獲するための集塵装置１１とが備えられている。
取付け部１０は、筒状に形成されていて、本体２の後部において上下方向に延びている。そして、取付け部１０内には、第１ホース１３の一端が接続された接続体１２が備えられている。
【００２０】
接続体１２は、略環状の部材であって、取付け部１０内に固定されている。第１ホース１３は、その一端が接続体１２に接続されており、その他端側が本体２の側面から外方に突出している。そして、第１ホース１３の他端は、吸引ヘッド３に接続されている。これにより、吸引ヘッド３から第１ホース１３を介して接続体１２までつづく本体流路１４が形成されている。
【００２１】
集塵装置１１は、本体４に着脱可能に取付けられており、空気の流入口および排出口である入口１５および出口１６が設けられている。
操作部５には、長尺形状の基部１７と、基部１７の一端に設けられたハンドル１９と、基部１７の他端に設けられた伸長用パイプ１８とが備えられている。
基部１７は、略筒状の部材であって、その内部空間が空気流路とされており、取外しボタン２０および案内体２１が備えられている。そして、基部１７の他端が本体４の取付け部１０の先端（上端）に取付けられている。
【００２２】
取外しボタン２０は、基部１７の他端に設けられており、基部１７を本体４の取付け部１０から取外すときに使用される。
案内体２１は、略筒状の部材であって、基部１７の一端近傍に回動自在に設けられている。また、案内体２１には、第２ホース２２が挿通している。
第２ホース２２は、案内体２１および基部１７内を挿通しており、その一端が基部１７内に取付けられている。そして、第２ホース２２の他端は、集塵装置１１の入口１５に取付けられている。
【００２３】
伸長用パイプ１８には、一端が基部１７に取付けられている長尺形状の第１パイプ２３と、第１パイプ２３に対して、その長さ方向に変位可能に取付けられている長尺形状の第２パイプ２４とが備えられている。
第１パイプ２３は、その一端が基部１７内に挿通するようにして取付けられており、基部１７内において、第２ホース２２の一端と接続されている。
【００２４】
第２パイプ２４は、その一端が第１パイプ２３内に挿通しており、第１パイプ２３の長さ方向に変位可能とされている。また、第２パイプ２４の他端には、吸込口２６が形成されている。これにより、操作部５には、第１パイプ２３の一端から第２パイプ２４の吸込口２６までつづく吸込流路２７が形成されている。
操作部５を、本体４の取付け部１０に取付けた状態では、第２パイプ２４は、第１パイプ２３の長さ方向内方に変位しており、伸長用パイプ１８は、全体として収縮している。そして、その収縮している伸長用パイプ１８が取付け部１０内に挿入されている。
【００２５】
この状態で、第２パイプ２４の他端は、接続体１２に挿入するようにして接続されており、本体流路１４と吸込流路２７とは連通状態になっている。すなわち、吸引ヘッド３から、本体流路１４、吸込流路２７および第２ホース２２を介して集塵装置１１につづく１つの空気流路が形成されている。
これにより、電動送風機７が駆動されることにより、吸込口６から吸引ヘッド３に吸い込まれた空気およびゴミは、本体流路１４、吸込流路２７および第２ホース２２内を通って入口１５から集塵装置１１内に取り込まれる。そして、集塵装置１１内に空気とともに吸い込まれたゴミは、集塵装置１１内を通過する過程で捕獲され、空気だけが集塵装置１１の下面に形成された出口１６から排出される。集塵装置１１の出口１６から排出された空気は、本体４内を通って、本体４の前面下部に形成された排気口２８から機外に排出される。
【００２６】
また、この電気掃除機１は、操作部５の伸縮用パイプ１８をアタッチメントとして使用することもできる。すなわち、本体４の取付け部１０に設けられた取外しボタン２０を操作して操作部５を本体４から取外し、図４に示すように、操作部５に設けられた伸長用パイプ１８の吸込口２６からゴミを吸い込むこともできる。このとき、伸長用パイプ１８は、第２パイプ２４が第１パイプ２３の長さ方向外方に変位しており、全体として伸長している（後述する）。これにより、天井やベッドの下のゴミ等、吸引ヘッド３を使用することができない場所のゴミを吸い込むことができる。
【００２７】
また、本体４の側面には、係止体２９が設けられている。そして、電気掃除機１を使用しない場合には、図５に示すように、操作部５を、伸長用パイプ１８を収縮させた状態で係止体２９に係止させておくことができる。これにより、電気掃除機１をコンパクトにすることができ、収容スペースを小さくすることができる。
なお、ここでは図示されないが、電気掃除機１は、操作部５が本体４に取付けられた状態において、本体４の上部を変位させるための折畳み構造や操作部５を変位させるための折畳み構造を有していてもよい。
【００２８】
このようにすれば、本体４の上部や操作部５を折畳んで収容することで、その収容スペースを小さくすることができる。
図６は、伸長用パイプ１８の上方部分を詳しく示す図である。なお、図６においては、伸長用パイプ１８が収縮している状態を示している。
第１パイプ２３の上方部の周面には、第１パイプ２３の径方向に突出する一対の第１係止突起３１および第２係止突起３２が設けられている。
【００２９】
第１係止突起３１は、第１パイプ２３の長さ方向に所定間隔を隔てて配置される一対の平板状の突起であって、それら一対の突起が板面を対向するようにして配置されている。
第２係止突起３２は、第１パイプ２３の長さ方向に所定間隔を隔てて配置される一対の平板状の突起であって、それら一対の突起が板面を対向するようにして配置されている。また、第２係止突起３２は、第１パイプ２３の周方向において、第１係止突起３１とほぼ１８０°隔てて対向している。
【００３０】
第１パイプ２３の周面であって、第２係止突起３２の一対の突起の間の周面には、係合孔３３が形成されている。
第２パイプ２４の上部には、パッキン２５が備えられており、第１パイプ２３と第２パイプ２４との接合部分がシールされている。
第２パイプ２４の上方部の周面には、内方に凹む凹部３４が形成されている。そして、凹部３４は、伸長用パイプ１８が収縮した状態、すなわち、第２パイプ２４が第１パイプ２３の長さ方向内方に変位した状態において、第１パイプ２３の係合孔３３と重なるようにされている。
【００３１】
第１係止突起３１の一対の突起間および第２係止突起３２の一対の突起間には、変位体３５が配置されている。
図７は、変位体３５および伸長用パイプ１８を水平面で切断して上方からみた状態を示す図である。
変位体３５は、略環状の部材であって、伸長用パイプ１８の径方向に変位可能とされている。また、変位体３５は、周面の一部が径方向外方に突出しており、その突出部分の内面に径方向外方に凹む凹部３６が形成されている。
【００３２】
凹部３６には、径方向内方に突出する取付け突起３７が形成されている。そして、取付け突起３７には、ばね３８が取付けられている。
ばね３８は、つるまき状のばねであって、取り付け突起３７に外嵌するようにして取付けられている。そして、ばね３８の先端は、第１パイプ２３の周面に接触している。これにより、変位体３５は、伸長用パイプ１８の径方向であって、変位体３５の凹部３６と第１パイプ２３とが離れる方向に付勢されている。
【００３３】
変位体３５の内周面であって、凹部３６と対向する部分には、係合体３９が設けられている。係合体３９には、変位体３５の内周面に設けられている基部４０と、基部４０から径方向内方に突出する係合突起４１とが備えられている。
係合突起４１は、第１パイプ２３の係合孔３３と第２パイプ２４の凹部３４とが重なった状態において、係合孔３３を挿通して凹部３４に係合し得る形状とされている。
【００３４】
よって、図７に示すように、変位体３５の凹部３６が第１パイプ２３と離れる状態においては、係合突起４１が、第１パイプ２３の係合孔３３を挿通して凹部３４に係合している。これにより、第２パイプ２４が、位置決めされて第１パイプ２３に対して固定されている。
再び、図６を参照して、基部１７には、取外しボタン２０が回動可能に取付けられている。
【００３５】
取外しボタン２０は、長尺形状の部材であって、一端が基部１７の内部に回動可能に取付けられている。また、取外しボタン２０には、ボタン部４２と鉤部４３とが設けられている。
ボタン部４２は、取外しボタン２０の中央部分に突出形成されており、基部１７に形成されたボタン孔４４から外方に突出している。また、ボタン部４２には、その突出方向と反対側に突出する押圧突起４５が設けられている。
【００３６】
押圧突起４５の先端は、変位体３５の外周面であって、外方に突出する部分に接触している。すなわち、押圧突起４５は、変位体３５を挟んでばね３８と対向している。
鉤部４３は、取外しボタン２０の下端に設けられており、取付け部１０の上部に設けられた爪部４６と係合し得る形状とされている。
基部１７が取付け部１０に取付けられた状態では、鉤部４３が爪部４６に係合しており、取外しボタン２０を介して基部１７と取付け部１０とが固定されている。そして、上述のように、変位体３５の係合突起４１が、第１パイプ２３の係合孔３３を挿通して第２パイプの凹部３４に係合しており、第２パイプ２４が、第１パイプ２３に対して固定されている。すなわち、伸長用パイプ１８は、全体として収縮した状態とされている。
【００３７】
図８は、伸長用パイプ１８の下方部分を詳しく示す図である。なお、図８においては、伸長用パイプ１８が収縮している状態を示している。
第１パイプ２３の下方部の周面には、第１パイプ２３の径方向に突出する一対の第３係止突起４７および第４係止突起４８が設けられている。
第３係止突起４７は、第１パイプ２３の長さ方向に所定間隔を隔てて配置される一対の平板状の突起であって、それら一対の突起が板面を対向するようにして配置されている。
【００３８】
第４係止突起４８は、第１パイプ２３の長さ方向に所定間隔を隔てて配置される一対の平板状の突起であって、それら一対の突起が板面を対向するようにして配置されている。また、第４係止突起４８は、第１パイプ２３の周方向において、第３係止突起４７とほぼ１８０°隔てて対向している。
第１パイプ２３の周面であって、第４係止突起４８の一対の突起の間の周面には、係合孔４９が形成されている。
【００３９】
第３係止突起４７の一対の突起間および第４係止突起４８の一対の突起間には、変位体５０が配置されている。
変位体５０には、ばね５１および係合体５２が備えられている。そして、係合体５２には、基部５３と基部５３から突出する係合突起５４とが備えられている。なお、変位体５０の構成は、上述の変位体３５と同様の構成であるため、詳しい説明は省略する。
【００４０】
そして、伸長用パイプ１８が収縮した状態では、変位体５０の係合突起５４は、第１パイプ２３の係合孔４９を挿通して第２パイプ２４の周面に接触している。そして、変位体５０は、ばね５１によって、係合突起５４が内方に移動する方向に付勢されている。
取付け部１０内において、第１ホース１３は、詳しくは、その一端が基部１０内に固定された略環状の接合体５５に取付けられている。また、接合体５５の上部には、略環状であって樹脂等で形成された軟質体５６が取付けられており、軟質体５６の上部と接続体１２の下部とが気密に密接している。
【００４１】
そして、基部１７が取付け部１０に取付けられた状態においては、伸長用パイプ１８の第２パイプ２４が接続体１２を挿通して、その先端（他端）が軟質体５６に気密に覆われている。これにより、第２パイプ２４と第１ホース１３との間が気密状態となっている。また、第２パイプ２４の先端が軟質体５６により一定の摩擦力により保持されるため、伸長用パイプ１８が基部１０内において固定されている。
【００４２】
図９は、変位体３５の変位の仕方を説明するための図である。
基部１７が取付け部１０に取付けられた状態では、図９（ａ）に示すように、ばね３８の付勢力により、変位体の凹部３６と第１パイプ２３との間が離されており、係合突起４１が、第１パイプ２３の係合孔３３を挿通して第２パイプ２４の凹部３４に係合している（図６参照）。
【００４３】
そして、この状態から、取外しボタン２０のボタン部４２が押圧されると、取外しボタン２０の鉤部４３が、取付け部１０の爪部４６から外れて、基部１７が取付け部１０から取外される。
また、それと共に、押圧突起４５がばね３８の付勢力に抗して変位体３５を押圧し、変位体３５が、凹部３６と第１パイプ２３との間を狭めるように変位する。これにより、図９（ｂ）に示すように、係合突起４１が、第２パイプ２４の凹部３４から抜け出る。
【００４４】
そして、さらに、ハンドル１９を把持して操作部５を上方に持ち上げると、第１パイプ２３と第２パイプ２４との固定状態が解除されており、さらに、第２パイプ２４の先端が軟質体５６に保持されているため、伸長用パイプ１８に引張力が付与されて第２パイプ２４が第１パイプ２３に対して相対的に延び出る。そして、図１０に示すように、第２パイプ２４の凹部３４と第１パイプ２３の係合孔４９とが重なるまで延び出ると、ばね５１の付勢力により変位体５０が変位して、係合突起５４が凹部３４に入り込む。
【００４５】
これにより、第２パイプ２４が、位置決めされて、第１パイプ２３に対して固定される。さらに、操作部５が上方に持ち上げられると、第２パイプ２４が軟質体５６から外れて、伸長用パイプ１８全体が、取付け部１０から取り出される。
このようにして、伸長用パイプ１８が最長の状態となる。そして、ユーザは、操作部５のハンドル１９を把持して、最長の状態の伸長用パイプ１８の吸込口２６からゴミを吸い込むことができる（図４参照）。
【００４６】
基部１７を取付け部１０に取付ける場合には、まず、変位体５０を、ばね５１の付勢力に抗して押圧して変位させ、係合突起５４を凹部３４から抜き出す。次いで、第２パイプ２４を第１パイプ２３の長さ方向内方に変位させる。そして、凹部３４と第１パイプ２３の係合孔３３とが重なるまで第２パイプ２４を変位させると、変位体３５の係合突起４１が凹部３４に入り込み、第２パイプ２４が固定される。
【００４７】
このようにして、伸長用パイプ１８を収縮させて最短状態とした後、伸長用パイプ１８を取付け部１０内に挿入するようにして、基部１７を取付け部１０に取付ける。そして、取外しボタン２０の鉤部４３が取付け部１０の爪部４６に係合して、基部１７が取付け部１０に固定される。
以上のように、この実施形態では、操作部５を本体４から取外すと伸長用パイプ１８が伸長し得るので、吸込口２６を延ばして家具と部屋との隙間などに在るゴミ等を吸い込むことができる。よって、使い勝手がよい。また、伸長用パイプ１８は、操作部５を本体４に取付けた状態では収縮しているので、本体４が大きくなるのを防ぐことができる。
【００４８】
また、取外しボタン２０を操作することにより伸長用パイプ１８が伸長し得る状態となるので、操作部５を本体４から取外すと同時に伸長用パイプ１８を伸長させることができる。よって、一層使い勝手がよい。
また、第２パイプ２４の先端は、操作部５を取付け部１０に取付けた状態において、軟質体５６により覆われており、摩擦力により保持されているため、操作部５を取付け部１０から取り外すことで、伸長用パイプ１８に引張力を付与して、第２パイプ２４を第１パイプ２３に対して延び出させることができる。
【００４９】
また、操作部５を、伸長用パイプ１８を収縮させた状態で係止体２９に係止することができるので、掃除を行わない場合には、操作部５を係止体２９に係止しておくことで、電気掃除機１をコンパクトにすることができる。よって、電気掃除機１の収容スペースを小さくすることができる。
図１１は、この発明の他の実施形態にかかる電気掃除機の一部の構成を示す断面図である。なお、以下の説明では、上述の電気掃除機１と同様の構成については、同一の参照符号を付することにより説明を省略する。
【００５０】
この電気掃除機のハンドル１９には、略環状のボタン部６１が備えられている。また、ボタン部６１には、基部１７内に上下に延びているワイヤー６２の一端が取付けられている。また、ワイヤー６２の他端には、係合体６３が係合されている。
図１２は、ワイヤー６２の他端部分を詳しく示す図である。
ワイヤー６２は、他端がＵ字状に曲げられており、その曲げられた部分に係合体６３が係止されており、ワイヤー６２の途中部には、伝達体６７が設けられている。
【００５１】
係合体６３は、長手の部材であって、一端（上端）がワイヤー６２の他端に係止されており、軸６４を中心として基部１０内に回動可能に取付けられている。係合体６３の中央部には、基部１０の内周面に向かって突出する取付け突起６５が形成されており、その他端（下端）には、基部１０の内周面と反対側に向かって突出する係合突起６６が形成されている。
【００５２】
係合突起６６は、伸長用パイプ１８が収縮した状態において、第１パイプ２３の係合孔３３を挿通して第２パイプ２４の凹部３４に係合している。これにより、第２パイプ２４が、位置決めされて第１パイプ２３に対して固定されている。
また、取付け突起６５には、ばね７１が取付けられており、ばね６６の先端は基部１０の内周面に接触している。これにより、係合体６３は、係合突起６６が凹部３４に係合する方向に付勢されている。
【００５３】
図１３は、伝達体６７および伸長用パイプ１８を水平面で切断して上方からみた図である。
伝達体６７には、平面視略Ｕ字状の接触部６８とワイヤー６２に外嵌されている連結部６９とが備えられている。
接触部６８は、伸長用パイプ１８を取り囲むように配置されている。また、取外しボタン２０の上端には、伸長用パイプ１８の進入方向と直交する方向に突出する突起７０が形成されており、接触部６８の先端は、突起７０の下部に接触している。
【００５４】
連結部６９は、接触部６８の中央部に取付けられている。これにより、連結部６９を介してワイヤー６２の引張力が接触部６８に伝達される。
そして、ユーザにより、ボタン部６１が引っ張られると、ワイヤー６２を介して伝達体６７が上方に変位する。そして、接触部６８の先端が取外しボタン２０の突起７０を上方に変位させ、取外しボタン２０が一端を中心として回転するため、鉤部４３が取付け部１０の爪部４６から外れて、基部１７が取付け部１０から取外される。
【００５５】
また、それと共に、係合体６３の一端が引っ張られるため、係合体６３がばね７１の付勢力に抗して回転し、図１４に示すように、係合突起６６が第２パイプ２４の凹部３４から抜け出る。
そして、ハンドル１９を把持して操作部５を上方に持ち上げると、上述の場合と同様にして、伸長用パイプ１８が、最長の状態で取付け部１０から取り出される。
【００５６】
以上のように、この実施形態では、ボタン部６１がハンドル１９に設けられており、ユーザは、ハンドル１９を把持した状態でボタン部６１を操作して伸長用パイプ１８を伸長させることができる。よって使い勝手がよい。
また、ボタン部６１を引っ張ると、取外しボタン２０も動作するので、ユーザは、ボタン部６１を操作することで、操作部５を本体４から取外しつつ、伸長用パイプ１８を伸長させることができる。すなわち、操作部５を本体４から取外す動作と伸長用パイプ１８を伸長させる動作を同時に行うことができるので、一層使い勝手がよい。
【００５７】
図１５は、この発明のさらに他の実施形態にかかる電気掃除機の一部の構成を示す断面図である。なお、以下の説明では、上述の電気掃除機１と同様の構成については、同一の参照符号を付することにより説明を省略する。
この電気掃除機では、第１パイプ２３の下方の周面には、係合孔４９の所定寸法上方に、取付け台７２が設けられ、さらに、取付け台７２の所定寸法上方に、第１パイプ２３の径方向に突出する取付け突起７３が設けられている。
【００５８】
取付け台７２は、断面略コ字状の部材であって、長手の係合体７４が回動可能に取付けられている。
係合体７４は、一端（上端）に第１パイプ２３側と反対方向に突出する接触突起７５が形成され、他端（下端）に第１パイプ２３側に突出する係合突起７６が形成されている。また、係合体７４の中央部には、取付け台７２に取付けられた軸７７が設けられており、係合体７４は、軸７７を中心として回動し得る。
【００５９】
取付け突起７３には、ばね７８が取付けられており、ばね７８の先端は係合体７４に接触している。これにより、係合体７４は、軸７７を中心として係合突起７６が第１パイプ２３に向かう方向に付勢されており、伸長用パイプ１８が最長の状態においては、係合突起７６が、第１パイプ２３の係合孔４９を挿通して第２パイプ２４の凹部３４に係合している。これにより、第２パイプ２４が、位置決めされて第１パイプ２３に対して固定されている。また、取付け部１０の上部には、接触片７９が設けられている。そして、接触片７９は、テーパー面８０を有している。
【００６０】
そして、最長状態の伸長用パイプ１８を取付け部１０に挿入すると、第２パイプ２４の先端が取付け部１０内において保持されるとともに、係合体７４の接触突起７５が、接触片７９のテーパー面８０に接触する。
さらに、伸長用パイプ１８を挿入すると、図１６に示すように、係合体７４の接触突起７５が接触片７９のテーパー面８０に押圧することで、係合体７４が、ばね７８の付勢力に抗して回転し、係合突起７６が凹部３４から抜け出る。
【００６１】
その後、伸長用パイプ１８を挿入すると、第２パイプ２４が相対的に第１パイプ２３の長さ方向内方に変位して、伸長用パイプ１８が収縮される。
以上のように、この実施形態では、伸長用パイプ１８を取付け部１０に挿入する際に、係合体７４の接触突起７５を取付け部１０の接触片７９に接触させることにより、伸長用パイプ１８を収縮させて取付け部１０内に良好に収容することができる。よって、伸長用パイプ１８を収縮させるための動作を省くことができるので使い勝手がよい。
【００６２】
図１７は、この発明のさらに他の実施形態にかかる電気掃除機の一部の構成を示す断面図である。なお、以下の説明では、上述の電気掃除機１と同様の構成については、同一の参照符号を付することにより説明を省略する。
この電気掃除機では、第１パイプ２３が第２パイプ２４内に挿入されており、第２パイプ２４が第１パイプ２３の外方に位置している。
【００６３】
第１パイプ２３の下方の周面には、内方に凹む凹部８７が形成されている。
第２パイプ２４の下方の周面には、案内板８２が備えられており、中央部の周面には、２つの案内片８３が第２パイプ２４の長さ方向に所定間隔を隔てて備えられている。また、第２パイプ２４の上方の周面には、一対の係止突起８４が備えられている。
そして、案内板８２、案内片８３および係止突起８４には、それぞれ孔が形成されており、それらの孔に棒体８５が挿通されている。
【００６４】
棒体８５は、長手の棒状の部材であって、第２パイプ２４の長さ方向に延びている。そして、案内板８２、案内片８３および係止突起８４に挿通することで、第２パイプ２４の周面から一定寸法離れるように配置されており、さらに、その長さ方向に所定量だけ変位可能となっている。
また、棒体８５は、たとえば、図示しないばね等により第２パイプ２４の先端に向かう方向に付勢されている。そして、伸長用パイプ１８が取付け部１０内に挿入された状態において、その一端（下端）が、接合体５５の上方に設けられた係止片８８に接触するようになっている。
【００６５】
図１８は、伸長パイプ１８の中央部分を詳しく示す図である。
第２パイプ２４の周面であって、係止突起８４の一対の突起の間の周面には、係合孔８６が形成されている。また、係止突起８４の一対の突起の間には、係止片８９が配置されている。
係止片８９は、係止突起８４の間において伸長用パイプ１８の径方向に変位可能に設けられており、挿通孔９０が形成されている。
【００６６】
挿通孔９０は、伸長用パイプ１８の長さ方向に貫通するように形成されていて、伸長用パイプ１８の根元方向に向かって細くなるテーパー状の孔とされている。また、係止突起８４の一方の突起には、板ばね９１が設けられている。そして、係止片８９は、板ばね９１により、伸長用パイプ１８の径方向内方に向かって付勢されている。
棒体８５の他端（上端）にはテーパー面９２が形成されており、テーパー面９２は、係止片８９の貫通孔９０のテーパー状の部分に当接し得る形成とされている。つまり、棒体８５の他端側は、端部に向かって細くなる形状とされている。また、棒体８５は、伸長用パイプ１８の根元方向に向かって変位した際に、係止片８９の貫通孔９０に挿通するようにされている。
【００６７】
伸長用パイプ１８が収縮されて取付け部１０内に挿入されている状態では、棒体８５の下端が接合体５５の係止片８８に接触している（図１７参照）。そして、棒体８５の上端は、係止片８９の挿通孔９０を挿通している。これにより、係止片８９は、棒体８５のテーパー面９２が貫通孔９０に当接することにより、ばね９１の付勢力に抗して伸長用パイプ１８の径方向外方に位置している。
【００６８】
この状態から伸長用パイプ１８が取付け部１０から取り出されると、棒体８５が、図示しないばねの付勢力により、第２パイプ２４の先端側に変位する。そして、棒体８５の上端が係止片８９の貫通孔９０から抜け出る。また、それと共に、係止片８９が、ばね９１により伸長用パイプ１８の径方向内方に付勢される。
そして、第２パイプ２４が第１パイプ２３に対して相対的に延び出し、第２パイプ２４の係合孔８６と第１パイプ２３の凹部８７とが重なると、図１９に示すように、係止片８９が凹部８７に入り込む。これにより、第２パイプ２４が、位置決めされて第１パイプ２３に対して固定される。
【００６９】
また、伸長用パイプ１８を取付け部１０に挿入する場合には、最長状態の伸長用パイプ１８をそのまま取付け部１０に挿入する。そして、棒体８５の下端が接合体５５の係止片８８に接触した後、さらに、伸長用パイプ１８を挿入すると、棒体８５のテーパー面９２が貫通孔９０に当接して押圧することで、係止片８９が、ばね９１の付勢力に抗して伸長用パイプ１８の径方向外方に変位する。
【００７０】
これにより、係止片８９が第１パイプ２３の凹部８７から抜け出すため、第１パイプ２３と第２パイプ２４との固定状態が解除されて、伸長用パイプ１８が収縮される。
以上のように、この実施形態では、伸長用パイプ１８は、係止片８９により伸長させた状態で確実に固定される。また、伸長用パイプ１８は、収縮された際には固定されないので、伸長用パイプを伸長させる動作を簡易なものにすることができる。すなわち、ユーザが、取付け部１０から伸長用パイプ１８を取り出すと、伸長用パイプ１８は、係止片８９により固定されるまで伸長する。よって、ユーザの動作が簡易なものとなる。
【００７１】
この発明は、以上説明した実施形態に限定されるものではなく、請求項記載の範囲
【図面の簡単な説明】
【００７２】
【図１】この発明の第１の実施形態にかかる電気掃除の構成を示す正面図である。
【図２】電気掃除機の右側面図である。
【図３】電気掃除機を前後方向に沿った鉛直面で切断した断面を左側からみた図である。
【図４】伸縮用パイプをアタッチメントとして使用した状態の電気掃除機の左側面図である。
【図５】操作部を係止体に係止させた状態の電気掃除機の右側面図である。
【図６】伸長用パイプの上方部分を詳しく示す図である。
【図７】変位体および伸長用パイプを水平面で切断して上方からみた状態を示す図である。
【図８】伸長用パイプの下方部分を詳しく示す図である。
【図９】変位体の変位の仕方を説明するための図である。
【図１０】伸長した状態の伸長用パイプの一部を示す図である。
【図１１】この発明の第２の実施形態にかかる電気掃除機の一部の構成を示す断面図である。
【図１２】ワイヤーの他端部分を詳しく示す図である。
【図１３】伝達体および伸長用パイプを水平面で切断して上方からみた図である。
【図１４】ワイヤーを牽引した状態を詳しく示す図である。
【図１５】この発明の第２の実施形態にかかる電気掃除機の一部の構成を示す断面図である。
【図１６】伸長用パイプを取付け部に挿入した状態を示す図である。
【図１７】この発明の第３の実施形態にかかる電気掃除機の一部の構成を示す断面図である。
【図１８】伸長パイプの中央部分を詳しく示す図である。
【図１９】最長状態の伸長用パイプを示す図である。
【符号の説明】
【００７３】
１      電気掃除機
３      吸引ヘッド
４      本体
５      操作部
７      電動送風機
１１    集塵装置
１４    本体流路
１８    伸長用パイプ
１９    ハンドル
２２    第２ホース
２６    吸込口
２７    吸込流路
２９    係止体
５６    軟質体
６１    ボタン部
７９    接触片
８９    係止片
【図１】
2006204631.tif 000003
【図２】
2006204631.tif 000004
【図３】
2006204631.tif 000005
【図４】
2006204631.tif 000006
【図５】
2006204631.tif 000007
【図６】
2006204631.tif 000008
【図７】
2006204631.tif 000009
【図８】
2006204631.tif 000010
【図９】
2006204631.tif 000011
【図１０】
2006204631.tif 000012
【図１１】
2006204631.tif 000013
【図１２】
2006204631.tif 000014
【図１３】
2006204631.tif 000015
【図１４】
2006204631.tif 000016
【図１５】
2006204631.tif 000017
【図１６】
2006204631.tif 000018
【図１７】
2006204631.tif 000019
【図１８】
2006204631.tif 000020
【図１９】
2006204631.tif 000021